(57)【要約】      （修正有）【課題】必要な強度及び良好な打感を確保すると共に、パッド部における振動減衰を早める打撃パッドを提供する。【解決手段】パッド部１００は、打撃面１１ａを有する軟質部１０及び板状の心材２０を有して一体に構成される。軟質部１０は心材２０よりも軟質であり、脚部１２がケース４０に固着される。心材２０は、平面視で打撃センサ１５が載置される領域を含んだセンサ載置部１３を有し、センサ載置部１３の外縁相当部１３ａの一部からパッド部１００の外周方向へ４つの延出部２１が延出する。脚部１２は、平面視において延出部２１の先端縁と重なる領域に位置する。軟質部１０は、心材２０の外縁端２０ｃ、２０ｄより外側の領域において、心材２０の少なくとも上端位置２０ａから下端位置２０ｂまでの範囲に存在し、外縁端２０ｄと、切欠部２２における心材２０の全ての縁とに接する。【選択図】図１
2017102278.tif 000002
【特許請求の範囲】
【請求項１】
板状の心材と、打撃面を有し、前記心材よりも軟質の素材で前記心材と一体に構成された軟質部と、前記打撃面への打撃を検出するセンサと、を有するパッド部と、
前記パッド部を支持する支持部と、を有し、
前記心材は、平面視で前記センサが載置される領域を含んだセンサ載置部と、前記センサ載置部の外縁に相当する部分の一部から前記パッド部の外周方向へ延出した延出部とを含んで一体に形成され、
平面視で、前記延出部の先端縁と少なくとも一部が重なる領域において、前記軟質部が前記支持部に取り付けられ、
少なくとも前記心材の外縁端より外側においては、前記軟質部が、前記心材の外縁端に接して且つ前記心材の少なくとも上端位置から下端位置まで存在することを特徴とする打撃パッド。
【請求項２】
前記心材の、複数ある前記延出部における互いに隣接する延出部同士は分離されていることを特徴とする請求項１記載の打撃パッド。
【請求項３】
前記延出部の各々には、前記センサ載置部よりも外側において、先端縁にかけてスリットが形成され、
平面視で、前記延出部のうちスリットにより分かれた部分のいずれか１つの先端縁と少なくとも一部が重なる領域において、前記軟質部が前記支持部に取り付けられていることを特徴とする請求項２記載の打撃パッド。
【請求項４】
前記心材は、複数ある前記延出部における互いに隣接する延出部の先端縁を含む領域同士を接続する接続部を含んで一体に形成され、且つ、前記接続部は前記センサ載置部には繋がっておらず、
前記互いに隣接する延出部と前記接続部と前記センサ載置部とで形成される空間には、前記軟質部が、前記互いに隣接する延出部、前記接続部及び前記センサ載置部と接して且つ前記心材の少なくとも上端位置から下端位置まで存在することを特徴とする請求項１記載の打撃パッド。
【請求項５】
板状の心材と、打撃面を有し、前記心材よりも軟質の素材で前記心材と一体に構成された軟質部とを有するパッド部と、
前記パッド部を支持する支持部と、を有し、
平面視で、前記心材の外縁端における３つの点を頂点とする三角形の内側に前記心材の重心が含まれるような３つの点を特定点とし、前記３つの特定点には、平面視で、前記心材の重心である中心点から、前記心材の外縁端における最も遠い最遠点が含まれ、
平面視で、少なくとも前記３つの特定点または前記３つの特定点に近接した位置を含む領域で、且つ前記心材と少なくとも一部が重なる領域において、前記軟質部が前記支持部に取り付けられ、
少なくとも前記心材の外縁端より外側においては、前記軟質部が、前記心材の外縁端に接して且つ前記心材の少なくとも上端位置から下端位置まで存在し、
平面視で、前記心材の中心点を通る直線上における、前記心材の外縁端から前記軟質部の外縁端までの距離である余白距離については、前記最遠点を通る直線上における余白距離よりも、前記心材の外縁端における前記中心点から最も近い最近点を通る直線上における余白距離の方が長いことを特徴とする打撃パッド。
【請求項６】
板状の心材と、打撃面を有し、前記心材よりも軟質の素材で前記心材と一体に構成された軟質部とを有するパッド部と、
前記パッド部を支持する支持部と、を有し、
平面視で、前記心材の外縁端における３つの点を頂点とする三角形の内側に前記心材の重心が含まれるような３つの点を特定点とし、前記３つの特定点には、平面視で、前記３つの特定点を通る仮想円の中心点から、前記心材の外縁端における最も遠い最遠点が含まれ、
平面視で、少なくとも前記３つの特定点または前記３つの特定点に近接した位置を含む領域で、且つ前記心材と少なくとも一部が重なる領域において、前記軟質部が前記支持部に取り付けられ、
少なくとも前記心材の外縁端より外側においては、前記軟質部が、前記心材の外縁端に接して且つ前記心材の少なくとも上端位置から下端位置まで存在し、
平面視で、前記心材の中心点を通る直線上における、前記心材の外縁端から前記軟質部の外縁端までの距離である余白距離については、前記最遠点を通る直線上における余白距離よりも、前記心材の外縁端における前記中心点から最も近い最近点を通る直線上における余白距離の方が長いことを特徴とする打撃パッド。
【請求項７】
平面視で、前記心材の中心点を通る直線上における、前記心材の外縁端から前記軟質部の外縁端までの距離である余白距離については、前記３つの特定点をそれぞれ通る直線上における余白距離のうち最も短い距離よりも、隣接する特定点の間の位置で前記心材の外縁端における前記中心点から最も近い点を通る直線上における余白距離の方が長いことを特徴とする請求項５または６記載の打撃パッド。
【請求項８】
板状の心材と、打撃面を有し、前記心材よりも軟質の素材で前記心材と一体に構成された軟質部と、前記打撃面への打撃を検出するセンサと、を有するパッド部と、
前記パッド部を支持する支持部と、を有し、
前記心材には、平面視で前記センサが載置される領域を含んだセンサ載置部よりも外側において、外縁端にかけて複数のスリットが放射状に形成され、
平面視で、前記心材の外縁端と少なくとも一部が重なる領域において、前記軟質部が前記支持部に取り付けられ、
少なくとも前記心材の外縁端より外側においては、前記軟質部が、前記心材の外縁端に接して且つ前記心材の少なくとも上端位置から下端位置まで存在することを特徴とする打撃パッド。
【発明の詳細な説明】
【技術分野】
【０００１】
本発明は、打楽器等に適用され、打撃される打撃面を有するパッド部を備える打撃パッドに関する。
【背景技術】
【０００２】
打楽器等に適用される打撃パッドは、本体ケース等の支持部に支持され、打撃部材によってパッド部の打撃面が打撃される。従来、電子ドラム等のパッド部の構造としては、鉄板等の硬質部材を心材としてゴム材でくるんだ構造が一般的である（例えば、下記特許文献１）。
【０００３】
心材を設けることで強度が増し打感が向上する。しかし一方、心材の振動が持続しそれがパッド部の振動として持続することにより、直接に発生する打撃音が大きくなるだけでなく、打撃の検出精度にも影響が及ぶ。そのため、強度、打感及び静音性の要素を同時に満足するようなパッドが従来から求められている。
【先行技術文献】
【特許文献】
【０００４】
【特許文献１】実開平５−３３１９９号公報
【発明の概要】
【発明が解決しようとする課題】
【０００５】
強度や耐久性の観点から、パッドをケースに支持する場合、心材が存在する位置でケースに取り付けるのが一般的である。そのため、心材が小さ過ぎると、取り付け位置が中心に近くなって、打撃時における打面の変形が大きくなるため、演奏性が低下するとともに打感も所望のものが得られない。また、打面の変形が大きくなることで、取り付け部分への負荷が増加して耐久性も低下する。
【０００６】
一方、心材を打面の外周近くまで延材するように大きくできると、打感の自由度が得られるので所望の打感が得やすい一方で、演奏時に共鳴音等が大きくなり、静音性が低下する。また、打撃による心材の振動が減衰しにくい。特に、心材の開放された外縁を波が伝搬しやすいと考えられる。また、心材の振動は複雑であり、振動波同士の干渉により、振動センサが振動の最初のピークを検知した後にも比較的大きなピークを検知することがある。心材の減衰が遅いとその傾向が一層強くなる。振動の大きなピークが２つ以上生じた場合、1度の打撃で２度鳴りするおそれが出てくるため、ソフトウェアで検出信号から発音までをうまく処理する必要が出てくる。その結果として、処理が複雑になったり、打撃の検出精度にも悪影響を与えたりするおそれがある。
【０００７】
本発明は上記従来技術の問題を解決するためになされたものであり、その目的は、必要な強度及び良好な打感を確保すると共に、パッド部における振動減衰を早めることができる打撃パッドを提供することにある。
【課題を解決するための手段】
【０００８】
上記目的を達成するために本発明の請求項１の打撃パッドは、板状の心材（２０）と、打撃面（１１ａ）を有し、前記心材よりも軟質の素材で前記心材と一体に構成された軟質部（１０）と、前記打撃面への打撃を検出するセンサ（１５）と、を有するパッド部（１００）と、前記パッド部を支持する支持部（４０）と、を有し、前記心材は、平面視で前記センサが載置される領域を含んだセンサ載置部（１３）と、前記センサ載置部の外縁に相当する部分（１３ａ）の一部から前記パッド部の外周方向へ延出した延出部（２１）とを含んで一体に形成され、平面視で、前記延出部の先端縁（２０ｄ）と少なくとも一部が重なる領域において、前記軟質部が前記支持部に取り付けられ、少なくとも前記心材の外縁端（２０ｃ、２０ｄ）より外側においては、前記軟質部が、前記心材の外縁端に接して且つ前記心材の少なくとも上端位置（２０ａ）から下端位置（２０ｂ）まで存在することを特徴とする。
【０００９】
上記目的を達成するために本発明の請求項５の打撃パッドは、板状の心材と、打撃面を有し、前記心材よりも軟質の素材で前記心材と一体に構成された軟質部とを有するパッド部と、前記パッド部を支持する支持部（４０）と、を有し、平面視で、前記心材の外縁端における３つの点を頂点とする三角形（Ｔ）の内側に前記心材の重心が含まれるような３つの点を特定点（Ａ１、Ａ２、Ａ３）とし、前記３つの特定点には、平面視で、前記心材の重心である中心点（Ｇ）から、前記心材の外縁端における最も遠い最遠点（Ａ１）が含まれ、平面視で、少なくとも前記３つの特定点または前記３つの特定点に近接した位置を含む領域で、且つ前記心材と少なくとも一部が重なる領域において、前記軟質部が前記支持部に取り付けられ、少なくとも前記心材の外縁端より外側においては、前記軟質部が、前記心材の外縁端（２０ｃ、２０ｄ）に接して且つ前記心材の少なくとも上端位置から下端位置まで存在し、平面視で、前記心材の中心点（Ｇ）を通る直線上における、前記心材の外縁端から前記軟質部の外縁端（１０ａ）までの距離である余白距離については、前記最遠点（Ａ１）を通る直線（ＬＡ）上における余白距離（Ｌａ１）よりも、前記心材の外縁端における前記中心点から最も近い最近点（Ｂ１）を通る直線（ＬＢ）上における余白距離（Ｌｂ１）の方が長いことを特徴とする。
【００１０】
上記目的を達成するために本発明の請求項６の打撃パッドは、板状の心材と、打撃面を有し、前記心材よりも軟質の素材で前記心材と一体に構成された軟質部とを有するパッド部と、前記パッド部を支持する支持部と、を有し、平面視で、前記心材の外縁端における３つの点を頂点とする三角形の内側に前記心材の重心が含まれるような３つの点を特定点（Ａ１、Ａ２、Ａ３）とし、前記３つの特定点には、平面視で、前記３つの特定点を通る仮想円の中心点（Ｇ２）から、前記心材の外縁端における最も遠い最遠点（Ａ１）が含まれ、平面視で、少なくとも前記３つの特定点または前記３つの特定点に近接した位置を含む領域で、且つ前記心材と少なくとも一部が重なる領域において、前記軟質部が前記支持部に取り付けられ、少なくとも前記心材の外縁端より外側においては、前記軟質部が、前記心材の外縁端に接して且つ前記心材の少なくとも上端位置から下端位置まで存在し、平面視で、前記心材の中心点を通る直線上における、前記心材の外縁端から前記軟質部の外縁端までの距離である余白距離については、前記最遠点を通る直線上における余白距離よりも、前記心材の外縁端における前記中心点から最も近い最近点を通る直線上における余白距離の方が長いことを特徴とする。
【００１１】
上記目的を達成するために本発明の請求項８の打撃パッドは、板状の心材と、打撃面を有し、前記心材よりも軟質の素材で前記心材と一体に構成された軟質部と、前記打撃面への打撃を検出するセンサと、を有するパッド部と、前記パッド部を支持する支持部と、を有し、前記心材には、平面視で前記センサが載置される領域を含んだセンサ載置部（１３）よりも外側において、外縁端（２０ｄ）にかけて複数のスリット（２５）が放射状に形成され、平面視で、前記心材の外縁端と少なくとも一部が重なる領域において、前記軟質部が前記支持部に取り付けられ、少なくとも前記心材の外縁端より外側においては、前記軟質部が、前記心材の外縁端に接して且つ前記心材の少なくとも上端位置から下端位置まで存在することを特徴とする。
【００１２】
なお、上記括弧内の符号は例示である。
【発明の効果】
【００１３】
本発明の請求項１、５、６、８によれば、必要な強度及び良好な打感を確保すると共に、パッド部における振動減衰を早めることができる。
【００１４】
請求項２によれば、周方向における振動伝搬を効果的に抑制することができることで、パッド部における振動減衰を早めることができる。請求項３によれば、センサを囲む周方向における振動減衰を早めることができる。請求項４によれば、早い振動減衰と強度及び打感の確保とのバランスをとることができる。請求項７によれば、センサを囲む周方向における振動減衰を早めることができる。
【図面の簡単な説明】
【００１５】
【図１】第１の実施の形態に係る打撃パッドのパッド部の模式的な側面図（図（ａ））、裏面図（図（ｂ））、打撃パッドの縦断面図（図（ｃ））である。
【図２】取り付け部に関する変形例を示す模式図（図（ａ）〜（ｅ））である。
【図３】軟質部と心材とを平面視で重ねて示した模式図（図（ａ）〜（ｃ）)である。
【図４】軟質部と心材とを平面視で重ねて示した模式図（図（ａ）〜（ｆ）)である。
【図５】軟質部と心材とを平面視で重ねて示した模式図（図（ａ））、縦断面図（図（ｃ））、一対の延出部と接続部とセンサ載置部とを分離させて示した模式図（図（ｂ））である。
【図６】軟質部と心材とを平面視で重ねて示した模式図（図（ａ）、（ｂ））である。
【発明を実施するための形態】
【００１６】
以下、本発明の実施の形態を図面を参照して説明する。
【００１７】
（第１の実施の形態）
図１（ａ）、（ｂ）は、本発明の第１の実施の形態に係る打撃パッドのパッド部の模式的な側面図、裏面図である。図１（ｃ）は、打撃パッドの縦断面図である。本発明の打撃パッドは電子打楽器への適用が想定されるが、それに限られず、例えば練習専用の打撃パッドとして構成されてもよい。この打撃パッドは、パッド部１００がケース４０に支持されて成る。図１（ａ）、（ｂ）ではケース４０は図示されていない。ケース４０は、床面に載置されるか、または床面に対して不図示のスタンドによって支持される。
【００１８】
パッド部１００は、軟質部１０、及び板状の硬質部材である心材２０を有して一体に構成される。軟質部１０に、鉄板等の心材２０が配設される。軟質部１０は心材２０よりも軟質の素材で構成され、弾性を有するゴム材等の軟質材で一体に形成される。軟質部１０は、平面視円形の円盤状部１１と、円盤状部１１から下方に突設された４本の脚部１２とを有して一体に形成される。脚部１２は取り付け部として機能し、ケース４０に接着等で固着される。円盤状部１１の上面が打撃面１１ａとなる。心材２０は、パッド部１００の成形時に軟質部１０に組み込まれもよいが、事後的に嵌め込み等によって内装されてもよい。心材２０は円盤状部１１の裏側において一部が露出しており、その露出した部分に、ピエゾ素子等で構成される打撃センサ１５が粘着材１４を介して配設される。打撃センサ１５は、パッド部１００の振動から、パッド部１００の打撃面１１ａへの打撃を検出する。なお、打撃センサ１５は必ずしも心材２０に固着されなくてもよい。例えば、心材２０が軟質部１０に完全に内包される構成とし、軟質部１０の薄い部分を介して心材２０に打撃センサ１５を固着してもよい。
【００１９】
次に、心材２０の形状と軟質部１０の配設領域とについて説明する。心材２０は板状だが単純な円形でなく、外周部で板面に沿って凹凸を有する特殊な形状をしている。心材２０はまず、平面視で打撃センサ１５が載置される領域を含んだセンサ載置部１３を有する。心材２０は、センサ載置部１３の外縁に相当する部分である外縁相当部１３ａの一部からパッド部１００の外周方向（半径方向外側）へ延出した複数（この例では４つ）の延出部２１を有する。センサ載置部１３と延出部２１とは略同厚で一体に形成される。ここで、センサ載置部１３は明確な外郭形状を有するものではないが、延出部２１が板面に沿って放射状に延出するため、センサ載置部１３を円形として把握することとする。
【００２０】
延出部２１の各々は略扇形であり、円周方向において均等間隔でセンサ載置部１３から四方に延びている。隣接する延出部２１間には平面視凹状の切欠部２２が形成される。心材２０の外縁端２０ｃ、２０ｄは、切欠部２２の底部の縁と延出部２１の先端縁とからなる。延出部２１の先端縁が心材２０の外縁端の一部（外縁端２０ｂ）を構成している。外縁相当部１３ａと心材２０の外縁端２０ｃとで円形を呈する。脚部１２は、平面視において延出部２１の先端縁と少なくとも一部が重なる領域に位置する。軟質部１０は、心材２０の外縁端２０ｃ、２０ｄより外側の領域（切欠部２２の領域も含む）に存在し、心材２０の少なくとも上端位置２０ａから下端位置２０ｂまでの範囲に存在する。軟質部１０と心材２０は一体成形で組み付けられるので、軟質部１０は、外縁端２０ｄに接すると共に、外縁端２０ｃを含む切欠部２２における心材２０の全ての縁にも接する。例えば、切欠部２２においては、軟質部１０は、延出部２１の半径方向に延びる縁部だけでなく、センサ載置部１３の外縁（外縁端２０ｃ）にも接している。
【００２１】
図１（ａ）〜（ｃ）に示す構成では、心材２０を有することで、強度が高く打感も良くなっている。脚部１２は、延出部２１の先端縁に位置し、心材２０は最も外周側の位置でケース４０に支持されるので、打撃時における打面の傾きが小さくて済み、演奏性が高くなり、また、取り付け部への負荷も小さいので耐久性が高い。また、心材２０は円形から凹状の切欠部２２を取り除いた形状をしているので、大きな円盤型の構成と比べると、演奏時の共鳴音が小さくて済み、静音性が高い。円盤型の心材は、外縁を円周方向に波が伝搬しやすいと考えられるが、本実施の形態では互いに隣接する延出部２１同士は分離されていて両者間が断続するので、特に外縁付近において周方向における振動伝搬の抑制機能が高く、打撃による心材２０の振動が減衰しやすい。さらに、軟質部１０が心材２０の外縁端２０ｄに接して心材２０よりも上下に厚く存在するので、振動抑制・共鳴音抑制効果が高い。しかも、軟質部１０は切欠部２２においても切欠部２２内の各縁に接して平面視において切欠部２２全体を埋めるように広く心材２０よりも上下に厚く存在するので、振動抑制・共鳴音抑制効果が非常に高い。心材２０の振動は複雑であるが、上記のように振動抑制効果を高めた結果、大きなピークが２つ以上生じにくくなって、ソフトウェアに頼らずとも、２度鳴りを防止できるようになり、その結果として、打撃の検出精度も高まる。
【００２２】
よって、本実施の形態によれば、必要な強度及び良好な打感を確保すると共に、パッド部１００における振動減衰を早めることができる。
【００２３】
軟質部１０の配設に関し、最低限の振動抑制効果を得る観点からは、少なくとも心材２０の外縁端２０ｃ、２０ｄより外側において、外縁端２０ｃ、２０ｄに接して心材２０の少なくとも上端位置２０ａから下端位置２０ｂまで存在するように軟質部１０を配設すればよい。
【００２４】
ところで、パッド部１００は４つの脚部１２がケース４０に固定される構成であったが、これに限られず、各種の変形例が考えられる。取り付け部に関する変形例を図２（ａ）〜（ｅ）で説明する。
【００２５】
まず、複数の脚部１２を設けるのではなく、図２（ａ）に示すように、平面視で心材２０の外縁部と重なる位置を含む領域で、パッド部１００の全周において軟質部１０がケース４０に固定される構成としてもよい。この例では、心材２０の延出部２１の外縁部を外側から包むように軟質部１０が配設され、延出部２１の外縁部を包んだ軟質部１０の部分の下部が、さらにケース４０を包むようにケース４０に固定される。
【００２６】
また、図２（ｂ）〜（ｅ）に例示するように、自身の弾性変形によって、支持部となるケース４０とパッド部１００との間の振動伝達を抑制する「振動抑制部」を設けてもよい。例えば、図２（ｂ）に示すように、ケース４０への取り付け部として複数の脚部１２を延出部２１に設けるにあたって、脚部１２に、取り付け部１８と屈曲した振動抑制部１７とを一体に形成する。取り付け部１８は鉤型あるいは矢印型になっている。ケース４０に形成された貫通穴に、取り付け部１８の、断面が大きい先端部を挿通して係合させると、取り付け部１８の先端部の弾性的な係合と振動抑制部１７の弾性的圧縮とによって、振動抑制部１７は圧縮状態で、打撃方向における先端がケース４０に対して当接する。取り付け部１８の先端部が抜け止めとなって、パッド部１００がケース４０に対して取り付けられる。この構成では、取り付け部１８がケース４０に弾性的に係合することで振動抑制部１７はケース４０に常時接触するので、振動抑制部１７の振動抑制の機能を安定して発揮させることができる。なお、振動抑制部１７の先端はケース４０に対して固着されてもよい。パッド部１００が打撃されて打撃方向に変位する行程において、振動抑制部１７には、圧縮を主とする弾性変形が生じる。振動抑制部１７の変形によって、パッド部１００とケース４０との間の振動伝達が抑制される。なお、図２（ｃ）に示すように、図２（ｂ）の構成において、脚部１２を円盤状部１１とは別体に構成し、何らかの締結手段で円盤状部１１と締結してもよい。
【００２７】
また、図２（ｄ）に示すように、屈曲した振動抑制部１７を設ける代わりに、振動抑制部を形状的に変形しやすい凸形を有する形状としてもよい。すなわち、脚部１２に、取り付け部３２が一体に形成されると共に、複数の突起部３３が一体に形成される。取り付け部３２は鉤型あるいは矢印型になっている。脚部１２及び突起部３３のうち主として突起部３３が振動抑制部として機能する。突起部３３は、打撃方向に垂直な断面形状が例えば円形であり、その断面積は先端ほど小さくなっていて、先端は丸まっている。あるいは、図２（ｅ）に示すように、図２（ｄ）の構成に対して、突起部４３を脚部１２の側でなくケース４０の側に設けてもよい。なお、脚部１２と円盤状部１１とを別体に構成して締結する構成は、図２（ｄ）、（ｅ）に構成にも適用可能である。
【００２８】
ところで、必要な強度及び良好な打感を確保すると共に、パッド部の振動の減衰を早める効果を得るための、軟質部１０と心材２０との形状の組み合わせは各種考えられる。図１で説明した構成をベースに、図３、図４を参照して、幾何学的観点から効果の得られる構成を考察する。図３（ａ）〜（ｃ）、図４（ａ）〜（ｆ）は、軟質部１０と心材２０とを平面視で重ねて示した模式図である。これらの図では、ケース４０の図示は省略されている。
【００２９】
まず図３（ａ）に示すように、図１で説明したのと同様に、円形の軟質部１０と、円形から凹状に切欠部２２が切り欠かれた形状の心材２０との組み合わせを説明する。心材２０の中心点として重心Ｇを用いる。心材２０の外縁端２０ｃ、２０ｄのうち、平面視で脚部１２が位置する領域内で３つの特定点Ａ（Ａ１、Ａ２、Ａ３）を考える。３つの特定点Ａとしては、平面視で、心材２０の外縁端２０ｃ、２０ｄにおける３つの点を頂点とする三角形Ｔの内側に心材２０の重心Ｇが含まれるような３つの点を考える。これは、パッド部１００がケース４０にバランスよく安定して支持されるのに最低限必要な位置だからである。脚部１２が４つ以上ある場合であっても、上記条件を満たすような３つの特定点Ａを特定すればよい。なお、脚部１２の位置、すなわち軟質部１０がケース４０に取り付けられる位置は、平面視で、少なくとも３つの特定点Ａまたは特定点Ａに近接した位置を含む領域で、且つ心材２０と少なくとも一部が重なる領域内であればよい。また、このことは、軟質部１０が全周においてケース４０に支持される構成の場合や、脚部１２の断面が円周方向に長い場合においても、３つの特定点Ａを仮想的に認識して解釈すればよい。
【００３０】
さらに、３つの特定点Ａには、平面視で、心材２０の外縁端２０ｃ、２０ｄにおける重心Ｇから最も遠い最遠点が含まれる。図３（ａ）の構成では、特定点Ａ１と特定点Ａ２、Ａ３とは重心Ｇからの距離が同一であるが、特定点Ａ１を最遠点として考える。また、心材２０の外縁端２０ｃ、２０ｄにおける重心Ｇから最も近い最近点をＢ１とする。図３（ａ）の例では、最近点Ｂ１は、切欠部２２の底部の円弧状部の縁に存在するが、縁上のいずれの位置も重心Ｇから距離は同一であるので、一例として、特定点Ａ２、Ａ２間にある点を最近点Ｂ１として考える。
【００３１】
このように３つの特定点Ａ及び１つの最近点Ｂ１を定義したとき、平面視で、重心Ｇを通る直線上における、心材の外縁端２０ｃ、２０ｄから軟質部１０の外縁端１０ａまでの距離である余白距離を比較する。重心Ｇと最遠点（特定点Ａ１）とを通る直線ＬＡ上における余白距離Ｌａ１よりも、重心Ｇと最近点Ｂ１とを通る直線ＬＢ上における余白距離Ｌｂ１の方が長い（Ｌａ１＜Ｌｂ１）。このような条件を満たすように構成することで、上記した本発明の効果を得ることができる。図１で説明した構成もこれを満たしている。
【００３２】
隣接する特定点Ａ間に、特定点Ａよりも重心Ｇに近い領域（切欠部２２等）を有する構成については、次のように定義できる。平面視で、心材２０の重心Ｇを通る直線上における、心材２０の外縁端２０ｃ、２０ｄから軟質部１０の外縁端１０ａまでの余白距離については、３つの特定点Ａをそれぞれ通る直線上における余白距離のうち最も短い距離よりも、隣接する特定点Ａの間の位置で心材２０の外縁端２０ｃ、２０ｄにおける重心Ｇから最も近い点を通る直線上における余白距離の方が長い。例えば、図３（ａ）例では、特定点Ａ２、Ａ３に関する余白距離は、特定点Ａ１のもの（Ｌａ１）と同一である。隣接する特定点Ａの間の位置で心材２０の外縁端２０ｃ、２０ｄにおける重心Ｇから最も近い点は例えば最近点Ｂ１であり、いずれの切欠部２２においても最近点Ｂ１に相当する点に関する余白距離は最近点Ｂ１に関するもの（Ｌｂ１）と同一である。隣接する特定点Ａ同士の間に、引っ込んだ領域が存在することになるので、打撃センサ１５を囲む周方向における振動減衰を早めることができる。
【００３３】
なお、軟質部１０や心材２０の基本形状は円形とは限らない。例えば、三角形や四角形でもよいし、両者が異なる基本形に沿った形状であってもよい。図３（ｂ）、（ｃ）ではそれぞれ、三角形状、四角形状を基本とした構成を例示している。これらの構成においても、上記したＬａ１＜Ｌｂ１という関係が成立するように構成すればよい。上述したように、３つの特定点Ａを定義するとき、特定点Ａ１だけは最遠点とする必要があるが、特定点Ａ２、Ａ３は、平面視で上記した三角形Ｔの形状を満足するように、軟質部１０がケース４０に取り付けられる領域内で決定すればよい。
【００３４】
また、図４でさらに応用を考える。心材２０の形状として、切欠部２２が２つの構成（図４（ａ））、切欠部２２が１つの構成（図４（ｂ））、切欠部２２が多数の構成の歯車型（図４（ｃ））であっても、特定点Ａ１、Ａ２、Ａ３、最近点Ｂ１を定義し、Ｌａ１＜Ｌｂ１という関係が成立するように構成することができる。また、また、必ずしも凹状の切欠部２２という形状が存在する必要はない。例えば、図４（ｄ）、（ｅ）に示すように、円形の軟質部１０に対して心材２０が四角形または三角形であってもよい。これらの場合であっても、四角形や三角形の頂部付近で特定点Ａ１、Ａ２、Ａ３を特定すると共に、頂部でない辺部において最近点Ｂ１を特定し、Ｌａ１＜Ｌｂ１という関係が成立するように構成することができる。
【００３５】
なお、図４（ａ）〜（ｅ）で説明した構成では、余白距離Ｌａ１、Ｌｂ１を考えるための直線ＬＡ、ＬＢは、心材２０の重心Ｇを通る直線とした。しかし、図４（ｆ）の例示するように、３つの特定点Ａ１、Ａ２、Ａ３を通る仮想円Ｃの中心点Ｇ２を基準に考えてもよい。この場合、最遠点となる特定点Ａ１については、心材２０の外縁端２０ｃ、２０ｄにおける中心点Ｇ２から最も遠い点とする。そして、余白距離Ｌａ１、Ｌｂ１を考えるための直線ＬＡ、ＬＢは、中心点Ｇ２を通る直線として考えればよい。
【００３６】
次に、その他の変形例を図５、図６で説明する。図５（ａ）、（ｃ）は、軟質部１０と心材２０とを平面視で重ねて示した模式図、縦断面図であり、ケース４０の図示は省略されている。図５（ａ）の例は、図１で示した構成に対して心材２０に接続部２３が追加されたものに相当する。すなわち心材２０は、互いに隣接する延出部２１の先端縁を含む領域同士を接続する接続部２３を有して一体に形成される。図５（ｂ）には、代表して、一対の延出部２１と、一対の延出部２１を接続する接続部２３と、センサ載置部１３とを、それらの関係が明瞭となるように分離させて示している。ただし、実際にはこれらは一体である。接続部２３は延出部２１の先端部の半部を接続するが、センサ載置部１３には繋がっていない。従って、互いに隣接する延出部２１と接続部２３とセンサ載置部１３とで形成される円弧状の穴である空間２４が形成される。延出部２１は根元部２１ｂでセンサ載置部１３と繋がっている。
【００３７】
なお、軟質部１０は、空間２４における全ての縁部に接している。心材２０は軟質部１０の成形段階で組み込んでもよいが、図５の例では嵌め込みにより組み付ける構成としている。すなわち、軟質部１０の円盤状部１１には、空間２４に対応する位置に嵌め込み用の突起嵌合部１９が一体に垂下形成され、各突起嵌合部１９が対応する空間２４を貫通するようにはめ込まれている（図５（ｃ））。その他の構成は図１で説明したのと同様である。図５の構成によれば、延出部２１の先端部同士が接続されているので、強度の点で有利となる。従って、早い振動減衰と強度及び打感の確保とのバランスをとることができる。
【００３８】
図６（ａ）、（ｂ）は、軟質部１０と心材２０とを平面視で重ねて示した模式図であり、ケース４０の図示は省略されている。まず、図６（ａ）の例は、図１で示した構成に対して心材２０にスリット２５が追加形成されたものに相当する。スリット２５は、センサ載置部１３よりも外側において、延出部２１の各々の先端縁（外縁端２０ｄ）にかけて２本ずつ形成される。スリット２５により、延出部２１は第１延出部２１−１、第２延出部２１−２、第３延出部２１−３の３つに分かれる。そして、平面視で、脚部１２は第２延出部２１−２の先端縁に位置する。スリット２５により、各延出部２１における分かれた領域間の振動伝達が抑制されるので、打撃センサ１５を囲む周方向における振動減衰を早めることができる。なお、スリット２５は各延出部２１に１つ以上形成されればよい。
【００３９】
図６（ｂ）に示す例は、円形の心材２０に、センサ載置部１３よりも外側において、外縁端２０ｄにかけて複数のスリット２５が放射状に形成される。スリット２５で分かれた各領域が図１の構成でいう延出部２１に相当する。心材２０の外縁端２０ｄと脚部１２との位置関係、及び軟質部１０の配設領域については、図１で説明したのと同様である。スリット２５により、各延出部２１間の振動伝達が抑制されるので、打撃センサ１５を囲む周方向における振動減衰を早めることができる。
【００４０】
なお、図６（ａ）または図６（ｂ）の構成において、スリット２５内は軟質部１０で埋めることは必須でないが、心材２０の少なくとも上端位置２０ａから下端位置２０ｂまでの範囲に軟質部１０が存在し、且つ、スリット２５における心材２０の外周全縁に軟質部１０が接しているのが振動抑制の観点から望ましい。
【００４１】
なお、本発明の打撃パッドは、スネアパッド、タムパッド等に適用可能である。また、支持部としてケース４０を例示したが、打撃時に床面に対して移動しない構成要素であればよい。
【００４２】
以上、本発明をその好適な実施形態に基づいて詳述してきたが、本発明はこれら特定の実施形態に限られるものではなく、この発明の要旨を逸脱しない範囲の様々な形態も本発明に含まれる。例えば、上記実施形態において、延出部の数は説明したいずれかの例に限られない。また、延出部は少なくとも一部のものにおいて支持されているものであればよく、図１のように全ての延出部が支持されている構造である必要はないし、切欠部２２において支持されていてもよい。また、センサ支持部の形状は図１では円形と仮定して説明したが、その形状は円形に限られず、例えば図３（ｂ）のように三角形、図３（ｃ）のように四角形としてもよく、さらに他の多角形でもよい。また、延出部の形状は上述あるいは図示した扇形等に限られず、種々の形状のものが適用される。さらに、上述の各変形例の一部を適宜組み合わせてもよい。
【符号の説明】
【００４３】
１０  軟質部、  １１ａ  打撃面、  １２  脚部、  １３  センサ載置部、  １３ａ  外縁相当部、  １５  打撃センサ、  ２０  心材、  ２０ａ  上端位置、  ２０ｂ  下端位置、  ２１  延出部、  １０ａ、２０ｃ、２０ｄ  外縁端、  ２３  接続部、  ２４  空間、  ２５  スリット、  ４０  ケース（支持部）、  １００  パッド部、  Ａ  特定点、  Ｇ  重心（中心点）、  Ｇ２  中心点、  Ｌａ１、Ｌｂ１  余白距離、  Ｂ１  最近点
【図１】
2017102278.tif 000003
【図２】
2017102278.tif 000004
【図３】
2017102278.tif 000005
【図４】
2017102278.tif 000006
【図５】
2017102278.tif 000007
【図６】
2017102278.tif 000008